(57)【要約】【課題】百葉箱を建物近傍に配置することなく建物の周囲外気温度を正確に検出できる温度情報取得装置および外気温度判定装置を提供する。【解決手段】温度情報取得装置１は、フード状のケース１１と、上記ケース１１内を第１内部空間１ａと第２内部空間１ｂとに左右に仕切る仕切り断熱材１２と、上記第１内部空間１ａの温度を計測する第１温度センサー２Ａと、上記第２内部空間１ｂの温度を計測する第２温度センサー２Ｂと、を備えている。外気温度判定装置は、上記第１温度センサー２Ａの検出温度をθａとし、上記第２温度センサー２Ｂの検出温度をθｂとすると、外気温度θｏを、θｏ＝ｍｉｎ（θａ，θｂ）によって判断する。【選択図】図３
2014224692.tif 000002
【特許請求の範囲】
【請求項１】
ケースと、上記ケース内を第１内部空間と第２内部空間とに左右に仕切る仕切り部材と、上記第１内部空間の温度を計測する第１温度センサーと、上記第２内部空間の温度を計測する第２温度センサーと、を備えたことを特徴とする温度情報取得装置。
【請求項２】
請求項１に記載の温度情報取得装置において、上記仕切り部材は断熱材からなることを特徴とする温度情報取得装置。
【請求項３】
上記第１内部空間側のケース面には第１の時間帯の日射が当たり、上記第２内部空間側のケース面には第２の時間帯の日射が当たるように建物の外側に配置された請求項１または請求項２に記載の温度情報取得装置と、上記第１温度センサーにより計測された第１の外気温度と上記第２温度センサーにより計測された第２の外気温度とを比較して低い方の温度を外気温度として選択する比較選択部と、を備えたことを特徴とする外気温度判定装置。
【請求項４】
請求項３に記載の外気温度判定装置において、上記比較選択部は宅内装置を制御する制御装置に設けられていることを特徴とする外気温度判定装置。
【発明の詳細な説明】
【技術分野】
【０００１】
この発明は、建物の外側の外気温度を正確に知るための温度情報取得装置および外気温度判定装置に関する。
【背景技術】
【０００２】
建物に設けられる空調装置における室外機には、外気温度を検出する温度センサーが内蔵されており、検出した外気温度に基づいて適切に空調が行われるようになっている。また、ＨＥＭＳ（ホーム・エネルギー・マネジメント・システム）を導入する場合にも、正確な外気温度を検出することが求められる。
【０００３】
また、特許文献１には、送風機制御手段によって、送風機の風量を自動制御する制御と、送風機を空調熱負荷条件に基づいて自動停止する車両用の空調装置において、送風機の自動停止時に内気温を的確に検出するために、車室内空気温度を検出する内気温センサーと、車室内空気を吸入して内気温センサーの周囲を流通させる電動ファンと、空調ケースからの熱が内気温センサーに伝達することを阻止する断熱カバーとを備えることが開示されている。
【先行技術文献】
【特許文献】
【０００４】
【特許文献１】特開２００６−２７３８９号公報
【発明の概要】
【発明が解決しようとする課題】
【０００５】
しかしながら、上記従来の外気温度検出装置では、日射の影響を受けた温度を検出してしまい、正確な外気温度に基づいた空調が行えるものではなかった。また、上記特許文献１の技術を利用するとすれば、電動ファンなどが必要になり、システムが割高になる。また、建物の近傍に百葉箱を配置する場合には正確な外気温度を検知できるが、この正確さのために百葉箱を各建物に配置することは、一般には受け入れられないと思われる。
【０００６】
この発明は、上記の事情に鑑み、建物近傍に百葉箱を配置することなく建物の外側の外気温度を正確に検出できる温度情報取得装置および外気温度判定装置を提供することを課題とする。
【課題を解決するための手段】
【０００７】
この発明の温度情報取得装置は、ケースと、上記ケース内を第１内部空間と第２内部空間とに左右に仕切る仕切り部材と、上記第１内部空間の温度を計測する第１温度センサーと、上記第２内部空間の温度を計測する第２温度センサーと、を備えたことを特徴とする。これによれば、上記第１内部空間と第２内部空間とが左右に仕切られているので、一方の空間側に日射が当たり他方の空間側に日射が当たらない時間帯において空間内部の温度に差異が生じ、日射の影響のない温度を判別することが可能になる。上記仕切り部材が断熱材であれば、上記空間内部の温度に差異を明確に生じさせることができる。
【０００８】
また、この発明の外気温度判定装置は、上記第１内部空間側のケース面には第１の時間帯の日射が当たり、上記第２内部空間側のケース面には第２の時間帯の日射が当たるように建物の外側に配置された上記の温度情報取得装置と、上記第１温度センサーにより計測された第１の外気温度と上記第２温度センサーにより計測された第２の外気温度とを比較して低い方の温度を外気温度として選択する比較選択部と、を備えたことを特徴とする。これによれば、日射の影響を受けない正確な外気温度を判定することができる。上記比較選択部は、宅内装置を制御する制御装置に設けられていてもよい。
【発明の効果】
【０００９】
本発明であれば、百葉箱を建物近傍に配置することなく建物の外側の外気温度を正確に検出することができ、このような正確な外気温度に基づいて空調装置や自然換気装置などを的確に制御できる等の効果を奏する。
【図面の簡単な説明】
【００１０】
【図１】本発明の実施形態にかかる温度情報取得装置の配置箇所を示した説明図である。
【図２】図１の温度情報取得装置の配置箇所を平面視で示した説明図である。
【図３】図１の温度情報取得装置の縦断面視の説明図である。
【図４】図１の温度情報取得装置の内部構成を透視的に示した概略斜視図である。
【発明を実施するための形態】
【００１１】
以下、この発明の実施の形態を添付図面に基づいて説明する。
図１に示すように、この実施形態の温度情報取得装置１は、例えば、建物５０の外壁５１にボルト止や接着などによって固定される。上記温度情報取得装置１が設置される位置については、図２に示すように、北向きの外壁面としている。この北向きの外壁面は、特に夏季において、日の出後の時間帯において東からの日射を受け、また日没前の時間帯において西からの日射を受ける。
【００１２】
図３および図４に示すように、上記温度情報取得装置１は、フード状のケース１１と、上記ケース１１内を第１内部空間１ａと第２内部空間１ｂとに左右に仕切る仕切り断熱材１２と、上記第１内部空間１ａの温度を計測する第１温度センサー２Ａと、上記第２内部空間１ｂの温度を計測する第２温度センサー２Ｂと、を備えている。上記仕切り断熱材１２の存在によって、上記第１内部空間１ａと上記第２内部空間１ｂとの間での熱移動を生じ難くしている。また、上記第１内部空間１ａと上記第２内部空間１ｂの容積が等しくなるように上記仕切り断熱材１２が配置される。上記仕切り断熱材１２としては樹脂系材或いは木質系材などの素材が用いられる。
【００１３】
上記ケース１１は、アルミ、ステンレス、樹脂などからなるが、放熱性に優れた素材からなるのがよい。また、上記ケース１１の寸法は、例えば、縦１００ｍｍ×横１００ｍｍ×奥行き５０ｍｍ程度としている。上記ケース１１の内部は空洞になっており、上記ケース１１の下側に開口が形成されるとともに、上記ケース１１の左右面（東側と西側になる側面）にガラリ１３が形成されることで各内部空間の通気性を高め、外気が各内部空間を通るようにしている。
【００１４】
上記第１温度センサー２Ａは、上記ケース１１の第１内部空間１ａの例えば中央位置に設けられており、このような位置に例えば支持棒１４によって支持される。上記第１温度センサー２Ａは、気温測定用として一般に市販されているものでよく、温度によって電気抵抗が変化する方式のものなどが使用される。
【００１５】
同様に、上記第２温度センサー２Ｂは、上記ケース１１の第２内部空間１ｂの例えば中央位置に設けられており、このような位置に例えば支持棒１４によって支持される。上記第２温度センサー２Ｂは、気温測定用として一般に市販されているものでよく、温度によって電気抵抗が変化する方式のものなどが使用される。
【００１６】
上記第１温度センサー２Ａおよび上記第２温度センサー２Ｂは、ハンダ付け、接着、ビス止めなどにより支持される。
【００１７】
そして、この実施形態の外気温度判定装置は、上記建物５０の北向きの外壁面に設けられたことで上記第１内部空間１ａが東側に位置し、上記第２内部空間１ｂが西側に位置する上記温度情報取得装置１と、上記第１温度センサー２Ａおよび上記第２温度センサー２Ｂの検出値とに基づいて外気温度を判断する比較選択部と、により構成される。上記温度情報取得装置１は、上記第１内部空間１ａ側のケース面が第１の時間帯（日の出後、上記第１内部空間１ａが建物５０の陰になるまでの時間）の日射を受け、上記第２内部空間１ｂ側のケース面は第２の時間帯（午後において上記第２内部空間１ｂが建物５０の陰にならなくなった時点から日射を受けなくなるまでの時間）の日射を受けることになる。上記比較選択部は、宅内装置を制御する制御装置、例えば、ＨＥＭＳ（ホーム・エネルギー・マネジメント・システム）の制御装置において設けられる。上記ＨＥＭＳは空調装置や自然換気装置などの制御を行うが、この制御において上記選択された外気温度を用いることができる。上記制御装置は、マイクロコンピュータ、ソフトウェア、Ｉ／Ｏインターフェースなどを備えるが、上記比較選択部はソフトウェアと上記マイクロコンピュータとにより構成することができる。
【００１８】
上記比較選択部は、上記第１温度センサー２Ａの検出温度をθａとし、上記第２温度センサー２Ｂの検出温度をθｂとすると、外気温度θｏを、θｏ＝ｍｉｎ（θａ，θｂ）によって判断する。すなわち、上記第１温度センサー２Ａの検出温度θａと上記第２温度センサー２Ｂの検出温度θｂとを比較して低い方の温度を外気温度として選択する。
【００１９】
上記の例であれば、午前において、東側の上記第１内部空間１ａに設けられた上記第１温度センサー２Ａは日射の影響を受けるが、西側の上記第２内部空間１ｂに設けられた上記第２温度センサー２Ｂは日射の影響を受け難い。その一方、午後において、西側の上記第２内部空間１ｂに設けられた上記第２温度センサー２Ｂは日射の影響を受けるが，東側の上記第１内部空間１ａに設けられた上記第１温度センサー２Ａは日射の影響を受け難い。したがって、上記第１温度センサー２Ａの検出温度と上記第２温度センサー２Ｂの検出温度とを比較して低い方の温度を外気温度として選択することにより、日射の影響を受けていない外気温度を真の温度として採用できることになる。
【００２０】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００２１】
１      温度情報取得装置
１ａ    第１内部空間
１ｂ    第２内部空間
１１    ケース
１２    仕切り断熱材（仕切り部材）
１３    ガラリ
２Ａ    第１温度センサー
２Ｂ    第２温度センサー
５０    建物
５１    外壁
【図１】
2014224692.tif 000003
【図２】
2014224692.tif 000004
【図３】
2014224692.tif 000005
【図４】
2014224692.tif 000006